(57)【要約】【課題】ピンの撓みによっても各インナーリンクプレートにかかる引張力を均等にして摩耗や伸びあるいは破断等を防止するとともに、軽量でコンパクトかつ高トルク耐性を有するサイレントチェーンを提供すること。【解決手段】一対のガイドプレートと複数のインナーリンクプレートよりなるガイドリンク列と、複数のインナーリンクプレートよりなる非ガイドリンク列１３０とを有し、それぞれのインナーリンクプレートが交互に連結編成されたサイレントチェーンにおいて、非ガイドリンク列１３０のインナーリンクプレートが、ガイドプレートからの距離に応じて前後一対のピン孔のピッチが異なるように設定されていること。【選択図】図４
2009174606.tif 000002
【特許請求の範囲】
【請求項１】
一対のガイドプレートと、前記ガイドプレート間に配列された複数のインナーリンクプレートよりなるガイドリンク列と、前記ガイドリンク列のインナーリンクプレートより１枚多いインナーリンクプレートよりなる非ガイドリンク列とを有し、前記ガイドプレート及びインナーリンクプレートの前後一対のピン孔にピンが挿通されて、前記ガイドリンク列のインナーリンクプレートと前記非ガイドリンク列のインナーリンクプレートが交互に連結編成されたサイレントチェーンにおいて、
前記非ガイドリンク列のインナーリンクプレートが、前記ガイドプレートからの距離に応じて前後一対のピン孔のピッチが異なるように設定されていることを特徴とするサイレントチェーン。
【請求項２】
前記非ガイドリンク列のインナーリンクプレートの前後一対のピン孔が、前記ピンが張力により撓んだ時に前記ピンに均等に接触するよう傾斜して設けられていることを特徴とする請求項１に記載のサイレントチェーン。
【請求項３】
前記ガイドリンク列のインナーリンクプレートが、前記ガイドプレートからの距離に応じて前後一対のピン孔のピッチが異なるように設定されていることを特徴とする請求項１または請求項２に記載のサイレントチェーン。
【請求項４】
前記ガイドリンク列のインナーリンクプレートの前後一対のピン孔が、前記ピンが張力により撓んだ時に前記ピンに均等に接触するよう傾斜して設けられていることを特徴とする請求項３に記載のサイレントチェーン。
【発明の詳細な説明】
【技術分野】
【０００１】
本発明は、インナーリンクプレートの前後一対のピン孔のピッチを最適化し、インナーリンクプレートに作用する張力を均等にしたサイレントチェーンに関する。
【背景技術】
【０００２】
従来、一対のガイドプレートと、前記ガイドプレート間に配列された複数のインナーリンクプレートよりなるガイドリンク列と、前記ガイドリンク列のインナーリンクプレートより１枚多いインナーリンクプレートよりなる非ガイドリンク列とを有し、前記ガイドプレート及びインナーリンクプレートの前後一対のピン孔にピンが挿通されて、前記ガイドリンク列のインナーリンクプレートと前記非ガイドリンク列のインナーリンクプレートが交互に連結編成されたサイレントチェーンが知られている。
【０００３】
これらのサイレントチェーン５００は、図１１に示すように、一対のガイドプレート５２１、５２２と前記ガイドプレート５２１、５２２間に配列された複数のインナーリンクプレート５２６、５２７、５２８、５２９よりなるガイドリンク列５２０と、前記ガイドリンク列５２０のインナーリンクプレート５２６、５２７、５２８、５２９より１枚多いインナーリンクプレート５３１、５３２、５３３、５３４、５３５よりなる非ガイドリンク列５３０とを有し、前記ガイドプレート５２１、５２２及びインナーリンクプレート５２６、５２７、５２８、５２９、５３１、５３２、５３３、５３４、５３５の前後一対のピン孔５５１、５５２、５６１、５６２にピン５１１、５１２が挿通されて、前記ガイドリンク列５２０と非ガイドリンク列５３０が交互に連結編成されている。
【０００４】
そして、ガイドプレート５２１、５２２のピン孔にピン５１１、５１２が固定的に嵌合され、該ピン５１１、５１２のピッチＰとガイドリンク列５２０のそれぞれのインナーリンクプレート５２６、５２７、５２８、５２９のピン５１１、５１２のピッチＰが同じであり、ピン５１１、５１２の外周面とそれぞれのインナーリンクプレート５２６、５２７、５２８、５２９のピン孔５５１、５５２の内周面との間には環状の隙間Ｃが均等に存在している。
【０００５】
このようなサイレントチェーン５００に実際の引張力が作用すると、図１２に示すように、ガイドリンク列５２０では前述したようにピン５１１、５１２の外周面とそれぞれのインナーリンクプレート５２６、５２７、５２８、５２９のピン孔５５１、５５２の内周面との間には環状の隙間Ｃが均等に存在するためピン５１１、５１２に撓みが生じ、ピン５１１、５１２の撓みは、ピン５１１、５１２の外周面と中央のインナーリンクプレート５２７、５２８のピン孔の内周面との隙間Ｃがなくなるまで増大する。
【０００６】
そして、ピン５１１、５１２の外周面と中央のインナーリンクプレート５２７、５２８のピン孔の内周面との隙間Ｃがなくなると、ガイドリンク列５２０においては、サイレントチェーンに作用する引張力は専らガイドプレート５２１、５２２と中央のインナーリンクプレート５２７、５２８が負担し、非ガイドリンク列５３０においては、ピン５１１、５１２の撓みによって、引張力は専ら最も外側のインナーリンクプレート５３１、５３５が負担することとなる。（例えば、特許文献１参照）。
【特許文献１】特開平９−１９６１２６号公報（第２頁、図２、図３）
【発明の開示】
【発明が解決しようとする課題】
【０００７】
しかしながら、このような従来のサイレントチェーンは、引張力の負担が大きいインナーリンクプレートにおいて特に摩耗や伸びあるいは破断等が生じやすく、これらの強度を増すためには板厚を増加させる等の対策が必要であり、特に軽量でコンパクトかつ高トルク耐性が要求されるエンジンのタイミングシステム等において問題があった。
【０００８】
また、ピンが撓むことにより、インナーリンクプレートのピン孔内周面が均等にピンに当接することができず、さらに摩耗や伸びあるいは破断等が生じやすくなるという問題があった。
【０００９】
本発明は、前述したような従来技術の問題を解決するものであって、すなわち、本発明の目的は、ピンの撓みによっても各インナーリンクプレートにかかる引張力を均等にして摩耗や伸びあるいは破断等を防止し、軽量でコンパクトかつ高トルク耐性を有するサイレントチェーンを提供することである。
【課題を解決するための手段】
【００１０】
本請求項１に係る発明は、一対のガイドプレートと、前記ガイドプレート間に配列された複数のインナーリンクプレートよりなるガイドリンク列と、前記ガイドリンク列のインナーリンクプレートより１枚多いインナーリンクプレートよりなる非ガイドリンク列とを有し、前記ガイドプレート及びインナーリンクプレートの前後一対のピン孔にピンが挿通されて、前記ガイドリンク列のインナーリンクプレートと前記非ガイドリンク列のインナーリンクプレートが交互に連結編成されたサイレントチェーンにおいて、前記非ガイドリンク列のインナーリンクプレートが、前記ガイドプレートからの距離に応じて前後一対のピン孔のピッチが異なるように設定されていることにより、前記課題を解決するものである。
【００１１】
本請求項２に係る発明は、請求項１に記載されたサイレントチェーンの構成に加えて、前記非ガイドリンク列のインナーリンクプレートの前後一対のピン孔が、前記ピンが張力により撓んだ時に前記ピンに均等に接触するよう傾斜して設けられていることにより、前記課題をさらに解決するものである。
【００１２】
本請求項３に係る発明は、請求項１または請求項２に記載されたサイレントチェーンの構成に加えて、前記ガイドリンク列のインナーリンクプレートが、前記ガイドプレートからの距離に応じて前後一対のピン孔のピッチが異なるように設定されていることにより、前記課題をさらに解決するものである。
【００１３】
本請求項４に係る発明は、請求項３に記載されたサイレントチェーンの構成に加えて、前記ガイドリンク列のインナーリンクプレートの前後一対のピン孔が、前記ピンが張力により撓んだ時に前記ピンに均等に接触するよう傾斜して設けられていることにより、前記課題をさらに解決するものである。
【発明の効果】
【００１４】
本請求項１に係る発明のサイレントチェーンは、一対のガイドプレートと、前記ガイドプレート間に配列された複数のインナーリンクプレートよりなるガイドリンク列と、前記ガイドリンク列のインナーリンクプレートより１枚多いインナーリンクプレートよりなる非ガイドリンク列とを有し、前記ガイドプレート及びインナーリンクプレートの前後一対のピン孔にピンが挿通されて、前記ガイドリンク列のインナーリンクプレートと前記非ガイドリンク列のインナーリンクプレートが交互に連結編成されたサイレントチェーンにおいて、前記非ガイドリンク列のインナーリンクプレートが、前記ガイドプレートからの距離に応じて前後一対のピン孔のピッチが異なるように設定されていることによって、サイレントチェーンに実際の引張力が作用しピンが撓んだ時に非ガイドリンク列の各インナーリンクプレートに均等に引張力を伝達することができるため、特定のインナーリンクプレートに負荷が集中せず、摩耗や伸びあるいは破断等を防止することができるとともに、軽量でコンパクトかつ高トルク耐性を有するサイレントチェーンを提供することができる。
【００１５】
そして、本請求項２に係る発明のサイレントチェーンは、請求項１に係るサイレントチェーンが奏する効果に加えて、非ガイドリンク列のインナーリンクプレートの前後一対のピン孔が、前記ピンが張力により撓んだ時に前記ピンに均等に接触するよう傾斜して設けられていることにより、ピン孔の内周面がピンの撓みに基づく傾斜に沿って均一にピンと接触するため、さらに摩耗や伸びあるいは破断等を防止することができる。
【００１６】
また、本請求項３に係る発明のサイレントチェーンは、請求項１または請求項２に係るサイレントチェーンが奏する効果に加えて、ガイドリンク列のインナーリンクプレートが、前記ガイドプレートからの距離に応じて前後一対のピン孔のピッチが異なるように設定されていることにより、ガイドリンク列の各インナーリンクプレートに均等に引張力を伝達することができるため、ガイドリンク列の各インナーリンクプレートにおいても摩耗や伸びあるいは破断等を防止することができる。
【００１７】
また、本請求項４に係る発明のサイレントチェーンは、請求項３に係るサイレントチェーンが奏する効果に加えて、ガイドリンク列のインナーリンクプレートの前後一対のピン孔が、前記ピンが張力により撓んだ時に前記ピンに均等に接触するよう傾斜して設けられていることにより、ピン孔の内周面がピンの撓みに基づく傾斜に沿って均一にピンと接触するため、ガイドリンク列の各インナーリンクプレートにおいてもさらに摩耗や伸びあるいは破断等を防止することができる。
【発明を実施するための最良の形態】
【００１８】
本発明のサイレントチェーンは、一対のガイドプレートと、前記ガイドプレート間に配列された複数のインナーリンクプレートよりなるガイドリンク列と、前記ガイドリンク列のインナーリンクプレートより１枚多いインナーリンクプレートよりなる非ガイドリンク列とを有し、前記ガイドプレート及びインナーリンクプレートの前後一対のピン孔にピンが挿通されて、前記ガイドリンク列のインナーリンクプレートと前記非ガイドリンク列のインナーリンクプレートが交互に連結編成されたサイレントチェーンにおいて、前記非ガイドリンク列のインナーリンクプレートが、前記ガイドプレートからの距離に応じて前後一対のピン孔のピッチが異なるように設定されて、ピンの撓みによっても各インナーリンクプレートにかかる引張力を均等にして摩耗や伸びあるいは破断等を防止し、軽量でコンパクトかつ高トルク耐性を有するという効果を発揮するものであれば、その具体的な実施態様は如何なるものであっても何ら構わない。
【実施例】
【００１９】
以下に、本発明のサイレントチェーンについて図面に基づいて説明する。
図１は、本発明のサイレントチェーンの側面図であり、図２は、本発明のサイレントチェーンの平面図であり、図３は、本発明のサイレントチェーンのガイドプレートの側面図であり、図４は、本発明の第１実施例であるサイレントチェーンの断面図であり、図５は、図４に示すサイレントチェーンのガイドリンク列のインナーリンクプレートの平面図であり、図６は、図４に示すサイレントチェーンの非ガイドリンク列のインナーリンクプレートの平面図であり、図７は、図４に示すサイレントチェーンの引張時の断面図であり、図８は、本発明の第２実施例であるサイレントチェーンの断面図であり、図９は、図８に示すサイレントチェーンのガイドリンク列のインナーリンクプレートの平面図であり、図１０は、図に示すサイレントチェーンの引張時の断面図である。
【００２０】
まず、本発明の実施例であるサイレントチェーン１００は、図１乃至図３に示すように、一対のガイドプレート１２１、１２２と両ガイドプレート間に配列された複数のインナーリンクプレート１２６、１２７、１２８、１２９よりなるガイドリンク列１２０と、ガイドリンク列１２０のインナーリンクプレート１２６、１２７、１２８、１２９より１枚多いインナーリンクプレート１３１、１３２、１３３、１３４、１３５よりなる非ガイドリンク列１３０とを有している。
【００２１】
ガイドプレート１２１、１２２及びインナーリンクプレート１２６、１２７、１２８、１２９、１３１、１３２、１３３、１３４、１３５のそれぞれの前後一対のピン孔にはピン１１１、１１２が挿通されて、ガイドリンク列１２０のインナーリンクプレート１２６、１２７、１２８、１２９と非ガイドリンク列１３０のインナーリンクプレート１３１、１３２、１３３、１３４、１３５が交互に連結編成されている。
【００２２】
ガイドプレート１２１、１２２に設けられたピン孔１２３、１２４の内径は、ピン１１１、１１２の外径より小さく設定されてガイドプレート１２１、１２２にピン１１１、１１２が圧入されて固定され、ガイドリンク列１２０のインナーリンクプレート１２６、１２７、１２８、１２９および非ガイドリンク列１３０のインナーリンクプレート１３１、１３２、１３３、１３４、１３５のピン孔の内径は、それぞれピン１１１、１１２の外径より大きく設定されてそれぞれのインナーリンクプレートはピン１１１、１１２に対して摺動自在とされている。
【００２３】
そこで、本発明の第１実施例であるサイレントチェーン１００ついて以下に詳しく説明する。
図４に示すように、本発明の第１実施例であるサイレントチェーン１００は、ガイドリンク列１２０のインナーリンクプレート１２６、１２７、１２８、１２９の前後一対のピン孔のピッチは一定であり、非ガイドリンク列１３０のインナーリンクプレート１３１、１３２、１３３、１３４、１３５の前後一対のピン孔のピッチはそれぞれガイドプレート１２１、１２２からの距離に応じて異なるように設定されている。
【００２４】
ガイドリンク列１２０のインナーリンクプレート１２６、１２７、１２８、１２９は全て同じ寸法であり、図５に示すように、前後一対のピン孔１５１及び１５６のピッチＰが、ガイドプレート１２１、１２２の前後一対のピン孔１２３、１２４のピッチＰ（すなわちピン１１１、１１２のピッチＰ）と同一に設定されている。
【００２５】
また、非ガイドリンク列１３０のインナーリンクプレート１３１、１３２、１３３、１３４、１３５は、図６に示すように、ガイドプレート１２１、１２２に最も近いインナーリンクプレート１３１、１３５の前後一対のピン孔１６１、１６６のピッチＰＬが、ガイドプレート１２１、１２２の前後一対のピン孔１２３、１２４のピッチＰより大きく設定され、ガイドプレート１２１、１２２から最も遠いインナーリンクプレート１３３の前後一対のピン孔１６３、１６８のピッチＰＳが、ガイドプレート１２１、１２２の前後一対のピン孔１２３、１２４のピッチＰより小さく設定され、中間の距離のインナーリンクプレート１３２、１３４の前後一対のピン孔１６２、１６７のピッチＰが、ガイドプレート１２１、１２２の前後一対のピン孔１２３、１２４のピッチＰと同一に設定されている。
【００２６】
さらに、図４及び図６に示すように、非ガイドリンク列１３０のインナーリンクプレート１３１、１３２、１３４、１３５の前後一対のピン孔１６１、１６６、１６２、１６７は、サイレントチェーン１００に引張力が作用してピン１１１、１１２が撓んだときに、その傾斜に沿って均等に接触するよう傾斜して設けられている。
なお、非ガイドリンク列１３０のインナーリンクプレート１３３はピン１１１、１１２の中央に位置し、ピン１１１、１１２が撓みによっても傾斜しない位置に当たるため、前後一対のピン孔１６３、１６８は傾斜させる必要はない。
【００２７】
このように構成された本発明の第１実施例であるサイレントチェーン１００は、図７に示すように、引張力が作用したときピン１１１、１１２の中央部がガイド列１２０の外方に膨らむように撓むが、非ガイドリンク列１３０のインナーリンクプレート１３１、１３２、１３３、１３４、１３５の前後一対のピン孔がガイドプレートからの距離に応じてピッチが異なるように設定されているため、非ガイドリンク列１３０のインナーリンクプレート１３１、１３２、１３３、１３４、１３５の前後一対のピン孔とピン１１１、１１２は、引張力の負担を均等に分担するように当接し、特定のインナーリンクプレートにおいて摩耗や伸びあるいは破断等が生じやすくなることはなく、強度を増すためには板厚を増加させる等の対策を講ずることなく軽量でコンパクトかつ高トルク耐性を有するサイレントチェーンを得ることができる。
【００２８】
また、図７に示すように、非ガイドリンク列１３０のインナーリンクプレート１３１、１３２、１３４、１３５の前後一対のピン孔１６１、１６６、１６２、１６７は、サイレントチェーン１００に引張力が作用してピン１１１、１１２が撓んだときに、その傾斜に沿って均等に接触するよう傾斜して設けられているため、それぞれのインナーリンクプレートのピン孔内周面が均等にピンに当接し、個々のインナーリンクプレートにおける引張力の負担を、個々のピン孔内周面においてインナーリンクプレートの幅方向で均等に分担され、非ガイドリンク列１３０の全てのインナーリンクプレートの摩耗や伸びあるいは破断等が生じにくくなるなど、その効果は甚大である。
【００２９】
つぎに、本発明の第２実施例であるサイレントチェーン２００ついて以下に詳しく説明する。
図８に示すように、本発明の第２実施例であるサイレントチェーン２００は、ガイドリンク列２２０のインナーリンクプレート２２６、２２７、２２８、２２９の前後一対のピン孔のピッチ及び、非ガイドリンク列２３０のインナーリンクプレート２３１、２３２、２３３、２３４、２３５の前後一対のピン孔のピッチはそれぞれガイドプレート２２１、２２２からの距離に応じて異なるように設定されている。
【００３０】
ガイドリンク列２２０のインナーリンクプレート２２６、２２７、２２８、２２９は、図９に示すように、ガイドプレート２２１、２２２に最も近いインナーリンクプレート２２６、２２９の前後一対のピン孔２５１、２５６のピッチＰｓが、ガイドプレート２２１、２２２の前後一対のピン孔２２３、２２４のピッチＰより小さく設定され、ガイドプレート２２１、２２２から遠いインナーリンクプレート２２７、２２８の前後一対のピン孔２５２、２５７のピッチＰが、ガイドプレート２２１、２２２の前後一対のピン孔２２３、２２４のピッチＰと同一に設定されている。
【００３１】
また、非ガイドリンク列２３０のインナーリンクプレート２３１、２３２、２３３、２３４、２３５は、第１実施例と同様（図６に示す）に、ガイドプレート２２１、２２２に最も近いインナーリンクプレート２３１、２３５の前後一対のピン孔２６１、２６６のピッチＰＬが、ガイドプレート２２１、２２２の前後一対のピン孔２２３、２２４のピッチＰより大きく設定され、ガイドプレート２２１、２２２から最も遠いインナーリンクプレート２３３の前後一対のピン孔２６３、２６８のピッチＰＳが、ガイドプレート２２１、２２２の前後一対のピン孔２２３、２２４のピッチＰより小さく設定され、中間の距離のインナーリンクプレート２３２、２３４の前後一対のピン孔２６２、２６７のピッチＰが、ガイドプレート２２１、２２２の前後一対のピン孔２２３、２２４のピッチＰと同一に設定されている。
【００３２】
さらに、図８及び図１０に示すように、ガイドリンク列２２０のインナーリンクプレート２２６、２２７、２２８、２２９及び非ガイドリンク列２３０のインナーリンクプレート２３１、２３２、２３４、２３５の前後一対のピン孔２５１、２５６、２５２、２５７、２６１、２６６、２６２、２６７は、サイレントチェーン２００に引張力が作用してピン２１１、２１２が撓んだときに、その傾斜に沿って均等に接触するよう傾斜して設けられている。
なお、非ガイドリンク列２３０のインナーリンクプレート２３３はピン２１１、２１２の中央に位置し、ピン２１１、２１２が撓みによっても傾斜しない位置に当たるため、前後一対のピン孔２６３、２６８は傾斜させる必要はない。
【００３３】
このように構成された本発明の第２実施例であるサイレントチェーン２００は、図１０に示すように、引張力が作用したときピン２１１、２１２の中央部がガイド列２２０の外方に膨らむように撓むが、ガイドリンク列２２０のインナーリンクプレート２２６、２２７、２２８、２２９及び非ガイドリンク列２３０のインナーリンクプレート２３１、２３２、２３３、２３４、２３５の前後一対のピン孔がガイドプレートからの距離に応じてピッチが異なるように設定されているため、全てのインナーリンクプレートの前後一対のピン孔とピン２１１、２１２は、引張力の負担を均等に分担するように当接し、特定のインナーリンクプレートにおいて摩耗や伸びあるいは破断等が生じやすくなることはなく、強度を増すためには板厚を増加させる等の対策を講ずることなく軽量でコンパクトかつ高トルク耐性を有するサイレントチェーンを得ることができる。
【００３４】
また、図１０に示すように、ガイドリンク列２２０のインナーリンクプレート２２６、２２７、２２８、２２９及び非ガイドリンク列２３０のインナーリンクプレート２３１、２３２、２３４、２３５の前後一対のピン孔２５１、２５６、２５２、２５７、２６１、２６６、２６２、２６７は、サイレントチェーン２００に引張力が作用してピン２１１、２１２が撓んだときに、その傾斜に沿って均等に接触するよう傾斜して設けられているため、それぞれのインナーリンクプレートのピン孔内周面が均等にピンに当接し、個々のインナーリンクプレートにおける引張力の負担を、個々のピン孔内周面においてインナーリンクプレートの幅方向で均等に分担され、全てのインナーリンクプレートの摩耗や伸びあるいは破断等が生じにくくなるなど、その効果は甚大である。
【００３５】
なお、本発明の第１実施例及び第２実施例において、ガイドプレートからの距離に応じて前後一対のピン孔のピッチが異なるように設定されたインナーリンクプレートにおいて、前後一対のピン孔のピッチがガイドプレートの前後一対のピン孔のピッチＰと同一に設定されたインナーリンクプレートが存在するが、サイレントチェーンの使用条件、各構成部品の材質、サイズ等によりピンの撓み量は異なるため、必ずしも同一のピッチに限定されるものではない。
【図面の簡単な説明】
【００３６】
【図１】本発明のサイレントチェーンの側面図。
【図２】本発明のサイレントチェーンの平面図。
【図３】本発明のサイレントチェーンのガイドプレートの側面図。
【図４】本発明の第１実施例であるサイレントチェーンの断面図。
【図５】図４に示すサイレントチェーンのガイドリンク列のインナーリンクプレートの平面図。
【図６】図４に示すサイレントチェーンの非ガイドリンク列のインナーリンクプレートの平面図。
【図７】図４に示すサイレントチェーンの引張時の断面図。
【図８】本発明の第２実施例であるサイレントチェーンの断面図。
【図９】図８に示すサイレントチェーンのガイドリンク列のインナーリンクプレートの平面図。
【図１０】図８に示すサイレントチェーンの引張時の断面図。
【図１１】従来のサイレントチェーンの断面図。
【図１２】図１１に示す従来のサイレントチェーンの引張時の断面図。
【符号の説明】
【００３７】
１００，２００，５００        ・・・サイレントチェーン
１１１，２１１，５１１        ・・・ピン
１１２，２１２，５１２        ・・・ピン
１２０，２２０，５２０        ・・・ガイド列
１２１，２２１，５２１        ・・・ガイドプレート
１２２，２２２，５２２        ・・・ガイドプレート
１２３，２２３，５２３        ・・・ピン孔
１２４，２２４，５２４        ・・・ピン孔
１２６，２２６，５２６        ・・・ガイド列のインナーリンクプレート
１２７，２２７，５２７        ・・・ガイド列のインナーリンクプレート
１２８，２２８，５２８        ・・・ガイド列のインナーリンクプレート
１２９，２２９，５２９        ・・・ガイド列のインナーリンクプレート
１５１，２５１，５５１        ・・・ピン孔
１５６，２５６，５５６        ・・・ピン孔
２５２                ・・・ピン孔
２５７                ・・・ピン孔
１３０，２３０，５３０        ・・・非ガイド列
１３１，２３１，５３１        ・・・非ガイド列のインナーリンクプレート
１３２，２３２，５３２        ・・・非ガイド列のインナーリンクプレート
１３３，２３３，５３３        ・・・非ガイド列のインナーリンクプレート
１３４，２３４，５３４        ・・・非ガイド列のインナーリンクプレート
１３５，２３５，５３５        ・・・非ガイド列のインナーリンクプレート
１６１，２６１，５６１        ・・・ピン孔
１６６，２６６，５６６        ・・・ピン孔
１６２，２６２                ・・・ピン孔
１６７，２６７                ・・・ピン孔
１６３，２６３                ・・・ピン孔
１６８，２６８                ・・・ピン孔
１６２，２６２                ・・・ピン孔
１６２，２６２                ・・・ピン孔
【図１】
2009174606.tif 000003
【図２】
2009174606.tif 000004
【図３】
2009174606.tif 000005
【図４】
2009174606.tif 000006
【図５】
2009174606.tif 000007
【図６】
2009174606.tif 000008
【図７】
2009174606.tif 000009
【図８】
2009174606.tif 000010
【図９】
2009174606.tif 000011
【図１０】
2009174606.tif 000012
【図１１】
2009174606.tif 000013
【図１２】
2009174606.tif 000014